(57)【要約】      （修正有）【課題】本考案は、電源不用遠赤外線センサー吐水装置を提供する。【解決手段】筐体１０外部に入水パイプ２０、スワン水栓３０及びディスプレイ用制御インターフェース４０、筐体内部にフィルター５０を備えてなり、前段パイプ５１を通じて入水パイプと接続し、前段パイプに吐水開閉を切り換えるための制御部５３が設けられ、ディスプレイ用制御インターフェースには、該制御部と電気的に接続する遠赤外線センサー制御モジュール４１を備えてなり、遠赤外線センサー制御モジュールは、吐水装置Ａ外部から検知するという非接触式操作手段で、制御命令が生じ、そこから制御部の開閉を切り換えるように設けられ、筐体内部には更に、制御部及び遠赤外線センサー制御モジュールの二者と電気的に接続し、その二者に電気を供給するためのバッテリーセット６０を備えてなり、それによって、吐水装置は電源不用でかつ遠赤外線センサーによる吐水制御機能を有する。【選択図】図３
0003206465.tif 000002
【実用新案登録請求の範囲】
【請求項１】
筐体と、
前記筐体の外部の異なる位置に配置される、
入水パイプと、
スワン水栓と、
ディスプレイ用制御インターフェースと、
を備え、
前記筐体の内部には、フィルターが設けられ、前記フィルターは、前段パイプを通じて、前記入水パイプと接続し、それに後段パイプを通じて、前記スワン水栓と接続しており、前記前段パイプは制御部を備えてなり、
前記ディスプレイ用制御インターフェースには、前記制御部と電気的に接続する遠赤外線センサー制御モジュールを備えてなり、
前記筐体の内部には、前記制御部及び前記遠赤外線センサー制御モジュールの二者と電気的に接続するバッテリーセットを備えてなることを特徴とする、
電源不用遠赤外線センサー吐水装置。
【請求項２】
前記バッテリーセットには更に、スイッチが設けられていることを特徴とする、請求項１に記載の電源不用遠赤外線センサー吐水装置。
【請求項３】
ディスプレイ用制御インターフェースの表示内容には、吐水量及び前記バッテリーセットの残り電気容量が含まれていることを特徴とする、請求項２に記載の電源不用遠赤外線センサー吐水装置。
【請求項４】
前記制御部には更に、タイマー設定による自動オフモジュールが設けられていることを特徴とする、請求項３に記載の電源不用遠赤外線センサー吐水装置。
【請求項５】
前記制御部は、電磁弁であることを特徴とする、請求項４に記載の電源不用遠赤外線センサー吐水装置。 
【考案の詳細な説明】
【技術分野】
【０００１】
本考案は、吐水装置に関し、特に電源不用でかつ遠赤外線センサー吐水機能を有するオリジナルな構造形態に関する。
【背景技術】
【０００２】
現在、環境の汚染がひどく、各地の水質が懸念されている中、水道水をめぐる消毒薬の汚染問題もあるため、多くの家庭には、水をろ過して飲料水を得るための浄水装置が設置されている。
【０００３】
ここ数年、激しい競争が展開され、多種多様な浄水装置商品が現れ、構造形態が多様化し、業者間の競争アイテムは、差別化機能性を持たせたフィルターに、各自工夫を凝らし、研究開発された浄水装置の外観、規格寸法に対応した取付要求や各種操作機能などの技術項目が実現されている。
【０００４】
本考案の解決しようとする技術課題は、浄水機能付き簡易型吐水装置の構造形態にあり、このような吐水装置は、貯水タンクを有せず、使用の時、導水パイプを既存給水源（例えば、家の中の既存蛇口）に直接接続し、該吐水装置に配置されたフィルター及び簡易な吐水制御インターフェースによって、浄水機能を果すのが特色である。
【０００５】
しかし、現在、従来の浄水機能付き簡易型吐水装置は、実際応用において、幾つかの問題点や欠点が依然存在し、例えば、従来の簡易型吐水装置における給電構造にあっては、やはり、電源コード・プラグが使用され、このような形態では実際の使用の時、吐水装置は多くの場合、コンセントから遠く離れたところに取付けられ、その電源コードを電源コンセントに直接つなぐことができず、延長コードをつないでから行われるという不便が生じること、それに、従来の簡易型吐水装置の操作構造は通常、一般的なプッシュ型スイッチを使用して行われるが、そのような操作方法は、使用者の両手が物などを持っている時は行われない場合があるということが挙げられる。
【０００６】
それゆえ、上述した従来のような浄水機能付き簡易型吐水装置構造に存在する問題点について、どのように、より理想的で実用性のあるオリジナルなものを開発するのかが、関連業者が更に努力して開発する目標と方向であり、それを鑑みて、考案者は関連製品の製造開発や設計に携わる長年の経験を持っており、上述した目標について、詳しく設計を行い、慎重に評価したうえ、ようやく実用性のある本考案を得られたわけである。
【考案の概要】
【考案が解決しようとする課題】
【０００７】
本考案は、電源不用遠赤外線センサー吐水装置を提供することを目的とし、解決しようとする技術課題は、より理想的で実用性のあるオリジナルな吐水装置構造形態を開発することにある。
【課題を解決するための手段】
【０００８】
本考案の解決しようとする技術特徴として、筐体と、筐体外部の異なる位置に配置される入水パイプ、スワン水栓及びディスプレイ用制御インターフェースとを備えてなり、筐体内部にはフィルターが設けられ、該フィルターは、前段パイプを通じて、入水パイプと接続し、それに後段パイプを通じて、スワン水栓と接続しており、前段パイプは、スワン水栓の吐水開閉への切り換えを制御するための制御部を備えてなり、そして、ディスプレイ用制御インターフェースには、制御部と電気的に接続する遠赤外線センサー制御モジュールを備えてなり、遠赤外線センサー制御モジュールは、吐水装置外部から検知するという非接触式操作手段で、制御命令が生じ、そこから制御部の開閉を切り換えるように設けられ、筐体内部には、制御部及び遠赤外線センサー制御モジュールの二者と電気的に接続し、該二者の稼動時に必要とされる電気を供給するためのバッテリーセットを備えてなることを特徴とする、電源不用遠赤外線センサー吐水装置が提供される。
【０００９】
このようなオリジナルな構造設計による本考案では、背景技術に対して、吐水装置は電源不用でかつ遠赤外線センサーによる吐水制御機能を有し、更に操作しやすく、使いやすくなるという実用性、進歩性がある。
【考案の効果】
【００１０】
本考案に掲示された「電源不用遠赤外線センサー吐水装置」は、筐体、ディスプレイ用制御インターフェース、スワン水栓、フィルター、制御部、遠赤外線センサー制御モジュール及びバッテリーセットを備えてなるオリジナルな構造形態と技術特徴を有し、本考案は上記背景技術で述べられた従来の構造に対して、該吐水装置が電源不用でかつ遠赤外線センサーによる吐水制御機能を有し、更に操作しやすく、使いやすくなるという実用性、進歩性がある。
【図面の簡単な説明】
【００１１】
【図１】本考案の構造の好適な実施例を第一視角から見た立体外観図。
【図２】本考案の構造の好適な実施例を第二視角から見た立体外観図。
【図３】本考案の構造の好適な実施例の内部構造イメージ。
【図４】本考案のバッテリーセットに更にスイッチが配置される場合の立体図。
【図５】本考案の遠赤外線センサーによる吐水制御に関する機能説明図。
【考案を実施するための形態】
【００１２】
図１〜図４に示すのは、本考案の電源不用遠赤外線センサー吐水装置の好適な実施例であり、これらの実施例は説明のみに用いられ、実用新案登録請求の際、それらの構造に制限されないものとする。筐体１０と、筐体１０外部の異なる位置に配置される入水パイプ２０、スワン水栓３０及びディスプレイ用制御インターフェース４０とを備えてなる電源不用遠赤外線センサー吐水装置Ａであり、筐体１０内部にはフィルター５０が設けられ、フィルター５０は、前段パイプ５１を通じて、入水パイプ２０と接続し、それに後段パイプ５２を通じて、スワン水栓３０と接続しており、前段パイプ５１は、スワン水栓３０の吐水開閉への切り換えを制御するための制御部５３を備えてなり、ディスプレイ用制御インターフェース４０は、制御部５３と電気的に接続する遠赤外線センサー制御モジュール４１を備えてなり、遠赤外線センサー制御モジュール４１は、吐水装置Ａ外部から検知するという非接触式操作手段（例えば、手や頭で遠赤外線センサー制御モジュール４１を遮ること）で、制御命令が生じ、そこから、制御部５３の開閉を切り換えるように設けられ、筐体１０内部には更に、制御部５３及び遠赤外線センサー制御モジュール４１の二者と電気的に接続し、該二者の稼動時に必要とされる電気を供給するためのバッテリーセット６０を備えてなる、電源不用でかつ遠赤外線センサーによる吐水制御機能を有する吐水装置Ａが提供される。
【００１３】
図４に示すように、バッテリーセット６０には更に、バッテリーセット６０による給電開閉を切り換えるためのスイッチ６１が設けられている。
【００１４】
ディスプレイ用制御インターフェース４０の表示内容には、吐水量とバッテリーセット６０の残り電気容量が含まれている。
【００１５】
制御部５３は、電磁弁でもよい。
【００１６】
上述した構造、組立構造や技術特徴により、本考案の吐水装置Ａの実際の使用の状況は、図５に示すように、遠赤外線センサー制御モジュール４１が設けられ、ユーザがスワン水栓３０の吐水開閉を制御するとき、吐水装置Ａ外部から非接触式操作手段で、例えば図５に示すように、遠赤外線センサー制御モジュール４１の上方を手で遮ると、制御命令が生じ、そこから制御部５３（図３）の開閉を切り換え、スワン水栓３０の吐水開閉を制御して、非接触式操作が簡単に行われるが、ユーザが頭、足または手で持つほかの物などでも、吐水の制御を行うことができるように設けられており、筐体１０内部には、ディスプレイ用制御インターフェース４０、制御部５３及び遠赤外線センサー制御モジュール４１の三者が稼動時に必要とされる電気を供給するためのバッテリーセット６０を備えてなることをもう一つの技術特徴とし、それによって、本考案の吐水装置Ａの設置位置は制限されず、柔軟に選定可能なため、電源コンセントにつなげるという利便性を考慮する必要はなく、給水源につなぐことだけを考慮に入れればよく、そうすると、屋内で取付けやすくなるほかに、屋外での使用も可能になるという実施形態（給水源につなげればよい）であり、それを見ると、本考案は確実に、浄水機能付き吐水装置の実用性と利便性を大幅に向上させたのである。
【００１７】
また、制御部５３には更に、タイマー設定による自動オフモジュール（注：図示省略）が設けられ、該タイマー設定による自動オフモジュールにより、給水は時間の設定（例えば３０秒）で、自動的にオフになり、そうすると、給水中、特殊原因（例えば、子どもが遊んでいるとき、異物などで、遠赤外線センサー制御モジュール４１の表示時間を遮られた場合）などによる継続給水異常などの発生を避けることができる。
【符号の説明】
【００１８】
Ａ    吐水装置
１０  筐体
２０  入水パイプ
３０  スワン水栓
４０  ディスプレイ用制御インターフェース
４１  遠赤外線センサー制御モジュール
５０  フィルター
５１  前段パイプ
５２  後段パイプ
５３  制御部
６０  バッテリーセット
６１  スイッチ
【図１】
0003206465.tif 000003
【図２】
0003206465.tif 000004
【図３】
0003206465.tif 000005
【図４】
0003206465.tif 000006
【図５】
0003206465.tif 000007